(57)【要約】  患者生理学的情報を取得及び通信するシステムは、患者測定デバイス１１２と、患者記録デバイス１００と、携帯型インタフェースデバイスとの１つ以上を含む。前記デバイスは、近接場通信インタフェースのような無線通信インタフェース１１０、１５２、１６２を介して通信する。患者測定デバイス１００は、複数の患者の各々に関する生理学的情報を取得する。この情報は、各患者に関連付けられた患者記録デバイス１００に記憶される。携帯型インタフェースデバイス１１４は、前記情報にアクセスするのに使用される。
2009504223.tif 000002
【特許請求の範囲】
【請求項１】
短距離無線通信インタフェースと、
連続して複数の患者の各々の生理学的パラメータの値を決定する患者近接手段と、
を有する装置において、
前記決定する手段が、前記無線通信インタフェースとともに動作するように前記無線通信インタフェースと物理的に結合され、前記無線通信インタフェースが、受信デバイスに出力データを通信し、前記出力データが、患者の前記生理学的パラメータ値及び前記データのソースを識別するソース識別子を含む装置。
【請求項２】
前記ソース識別子が、前記装置に関連付けられたユーザを識別する、請求項１に記載の装置。
【請求項３】
前記ソース識別子が、前記決定する手段により決定される生理学的パラメータを識別する、請求項１に記載の装置。
【請求項４】
前記ソース識別子が、前記装置を識別する、請求項１に記載の装置。
【請求項５】
前記装置が、前記無線通信インタフェースが第２のデバイスと無線通信中であることをオペレータに示す手段を含み、オペレータ確認が、前記出力データを通信するのに必要とされる、請求項１に記載の装置。
【請求項６】
前記装置が時計を含み、前記出力データが時間情報を含む、請求項１に記載の装置。
【請求項７】
前記無線通信インタフェースが、極短距離無線通信インタフェースである、請求項１に記載の装置。
【請求項８】
前記無線通信インタフェースが、近接場通信インタフェースである、請求項１に記載の装置。
【請求項９】
前記決定する手段が体温計であり、前記生理学的パラメータが体温である、請求項１に記載の装置。
【請求項１０】
患者の生理学的パラメータを示す値を決定するのに単距離無線通信インタフェースを含む第１の装置を使用するステップと、
前記患者に関連付けられた第２の装置に対して前記値を通信するのに前記短距離無線通信インタフェースを使用するステップと、
複数の患者の各々に対して前記第１の装置を使用するステップ及び前記短距離無線通信インタフェースを使用するステップを繰り返すステップと、
を有する方法。
【請求項１１】
前記無線通信インタフェースが、超短距離無線通信インタフェースである、請求項１０に記載の方法。
【請求項１２】
前記超短距離無線通信インタフェースが、磁場誘導を使用して通信する、請求項１１に記載の方法。
【請求項１３】
前記短距離無線通信インタフェースを使用するステップが、前記第１の装置に対するパラメータ識別子を通信するステップを含む、請求項１２に記載の方法。
【請求項１４】
前記短距離無線通信インタフェースを使用するステップが、前記第１の装置に対してユーザ識別子を通信するステップを含む、請求項１３に記載の方法。
【請求項１５】
前記無線通信インタフェースが、前記第２の装置との通信を確立されたことを人間に示すステップと、前記通信の人間確認を要求するステップとを更に含む、請求項１０に記載の方法。
【請求項１６】
患者の生理学的パラメータを示す出力値を生成する医用測定デバイスであって、複数の患者の連続した患者に対して使用するように構成されるデバイスと、
前記生理学的パラメータを識別するパラメータ識別子及び前記出力値を含む出力情報を受信デバイスに通信する短距離無線通信インタフェースと、
を有する医用装置。
【請求項１７】
前記無線通信インタフェースが、近接場通信インタフェースを含む、請求項１６に記載の装置。
【請求項１８】
前記近接場通信インタフェースが、接触及び確認モードで動作する、請求項１７に記載の装置。
【請求項１９】
前記無線通信インタフェースが、極短距離無線通信インタフェースである、請求項１６に記載の装置。
【請求項２０】
前記無線通信インタフェースが、超短距離無線通信インタフェースである、請求項１６に記載の装置。
【請求項２１】
前記出力情報が、前記装置を識別する情報を含む、請求項１６に記載の装置。
【請求項２２】
前記出力情報が、前記装置に関連付けられたヘルスケア提供者を識別する情報を含む、請求項１６に記載の装置。
【請求項２３】
前記無線通信インタフェース及び前記医用測定デバイスが、共通のハウジングに収容される、請求項１６に記載の装置。
【発明の詳細な説明】
【技術分野】
【０００１】
本発明は、医学における生理学的パラメータの測定及び通信の分野に関する。本発明は、他の情報の測定及び通信に関連した応用をも見つける。
【背景技術】
【０００２】
例えば病院又は診療所におけるヘルスケア設定において、准看護師、看護師、医師のようなヘルスケア提供者は、多数の患者に関する生理学的情報を取得することを頻繁に必要とされる。前記ヘルスケア提供者は、典型的には、各患者に対する脈拍数、血圧、及び体温等のような生理学的パラメータの定期的な測定値を取得する。一般に、この情報は、脈拍モニタ、血圧計及び体温計等のような、関心のパラメータに適切な生理学的測定デバイスを使用して取得される。
【０００３】
前記ヘルスケア提供者は、典型的には、物理的な患者ファイルに前記パラメータの値を時間、他の観察結果又はコメント、及び前記ヘルスケア提供者の名前と一緒に書きこむ。前記ファイルは、しばしば前記患者のベッドの端部におけるクリップボード上のように前記患者の近くに配置され、前記患者が施設内の異なる場所に移動する場合に前記患者とともに運ばれることができる。この場合、前記情報を見直すことを望む人は、前記ファイルを調べる。
【０００４】
しかしながら、不幸なことに、手作業の入力プロセスは、間違いを起こしやすく、時間がかかる可能性がある。更に、前記情報は、他の権限を与えられた職員にとって容易にアクセス可能ではなく、前記情報を見直すことが必要になる場合に、一般に前記患者ファイルに対して物理的アクセスを持つか、そうでなければコピーを取得しなくてはならない。更に、一般に、多くの患者に対する物理的ファイルを維持することは必要であり、関連情報の記憶及び前記関連情報に対するアクセスの提供に関連した対応する運搬上の困難を伴う。病院情報システム／放射線情報システム（ＨＩＳ／ＲＩＳシステム）のようなコンピュータシステムに記憶するために前記情報をデジタル形式に変換するプロセスは、同様に、間違いを起こしやすく、時間がかかる。
【発明の開示】
【発明が解決しようとする課題】
【０００５】
本発明の態様は、これら及び他の問題に取り組む。
【課題を解決するための手段】
【０００６】
本発明の第１の態様によると、装置は、短距離無線通信インタフェース及び複数の患者の各々の生理学的パラメータの値を連続して決定する患者近接手段（patient proximate means）を含む。前記決定する手段は、一緒に動作する前記無線通信インタフェースと物理的に結合され、前記無線通信インタフェースは、受信デバイスにデータを出力し、前記出力データは、前記データのソースを識別するソース識別子及び患者の生理学的パラメータ値を含む。
【０００７】
本発明のより限定的な態様によると、前記ソース識別子は、前記装置に関連付けられたユーザを識別する。
【０００８】
本発明のより限定的な態様によると、前記ソース識別子は、前記決定する手段により決定された生理学的パラメータを識別する。
【０００９】
本発明のより限定的な態様によると、前記ソース識別子は、前記装置を識別する。
【００１０】
本発明の他のより限定的な態様によると、前記装置は、前記無線通信インタフェースが第２のデバイスと無線通信中であることをオペレータに示す手段を含む。オペレータ確認は、前記出力データを通信するのに必要とされる。
【００１１】
本発明の他のより限定的な態様によると、前記装置は時計を含み、前記出力データは時間情報を含む。
【００１２】
本発明の他のより限定的な態様によると、前記無線通信インタフェースは、極短距離（very short range）無線通信インタフェースである。
【００１３】
本発明の他のより限定的な態様によると、前記無線通信インタフェースは、近接場通信インタフェースである。
【００１４】
本発明の他のより限定的な態様によると、前記決定する手段は体温計であり、前記生理学的パラメータは体温である。
【００１５】
本発明の第２の態様によると、方法は、患者の生理学的パラメータを示す値を決定するために短距離無線通信インタフェースを含む第１の装置を使用するステップと、第２の装置に前記値を通信するように前記短距離無線通信インタフェースを使用するステップと、前記第１の装置を使用するステップ及び前記短距離無線通信インタフェースを使用するステップを複数の患者の各々に対して繰り返すステップとを含む。前記第２の装置は、前記患者に関連付けられる。
【００１６】
本発明のより限定的な態様によると、前記無線通信インタフェースは、超短距離（ultra short range）無線通信インタフェースである。
【００１７】
本発明の他のより限定された態様によると、前記超短距離無線通信インタフェースは、磁場誘導を使用して通信する。
【００１８】
本発明の他のより限定された態様によると、前記短距離無線通信インタフェースを使用するステップは、前記第２の装置にパラメータ識別子を通信することを含む。
【００１９】
本発明の他のより限定された態様によると、前記短距離無線通信インタフェースを使用するステップは、前記第２の装置にユーザ識別子を通信することを含む。
【００２０】
本発明の他の限定された態様によると、前記方法は、前記無線通信インタフェースが前記第２の装置と通信を確立した人間を示すこと、及び前記通信の人間確認を必要とすることを含む。
【００２１】
本発明の他の態様によると、医用装置は、患者の生理学的パラメータを示す出力値を生成する医用測定デバイスと、短距離無線通信インタフェースとを含む。前記医用測定デバイスは、複数の患者の連続した患者に対して使用するように構成される。前記通信インタフェースは、出力情報を受信デバイスに通信し、前記出力情報は、前記出力値及び前記生理学的パラメータを識別するパラメータ識別子を含む。
【００２２】
本発明のより限定的な態様によると、前記無線通信インタフェースは、極短距離無線通信インタフェースである。
【００２３】
本発明の他のより限定的な態様によると、前記無線通信インタフェース及び前記医用測定デバイスは、共通のハウジングに収容される。
【発明を実施するための最良の形態】
【００２４】
図１を参照すると、システムは、複数の患者記録デバイス１００ａ，ｂ，ｃ...ｎと、患者測定デバイス１１２ａ，ｂ，ｃ...ｎと、携帯型インタフェースデバイス１１４ａ，ｂ，ｃ...ｎとを含む。
【００２５】
各患者記録デバイス１００は、好ましくは、特定の患者と関連付けられる。患者記録デバイス１００は、適切なストラップ、バンド、又はネックレス等を使用して前記患者の生体構造に対する取り外し可能な取り付け用に構成される。患者記録デバイス１００は、独立デバイスとして構成されることもでき、この場合、前記デバイスは、台上の患者、又はナイトテーブル等の近くに配置されてもよく、又は前記患者とともに運ばれてもよい。前記デバイスは、適切なクランプ又はフック、マジックテープ（登録商標）及び磁石等を用いて、前記患者のベッド又は前記患者の近くの他の構造物に対する取り外し可能な取り付け用に構成されることもできる。例えば壁又は前記患者のベッドに対するより恒久的な取り付け用に構成されることもできる。前記デバイスは、患者デモグラフィック（demographic）情報が書きこまれることができる場所、又は患者デモグラフィック情報が印刷されるステッカーを受ける場所をも含む。
【００２６】
患者記録デバイス１００は、コンピュータ読み取り可能メモリ１０２と、通信インタフェース１０４と、オペレータインタフェース１０６と、インタフェース及び制御電子装置１０８と、無線通信インタフェース１１０と、電源１１１と、時計１０９とを含む。
【００２７】
無線通信インタフェース１１０は、好ましくは、約０．３メートル（１フィート）以下の最大距離を持つ超短距離インタフェースである。前記無線通信インタフェースは、前記無線通信インタフェースは、典型的なベッドサイドのオーダ、すなわち約２メートル（６．６フィート）の最大距離を持つ極短距離インタフェース、又は典型的な病室で見られる距離のオーダ、すなわち約４メートル（１３フィート）の最大距離を持つ短距離無線インタフェースでもありうる。
【００２８】
一実施例において、無線通信インタフェース１１０は、近接場通信（ＮＦＣ）インタフェースである。当技術分野において既知であるように、ＮＦＣインタフェースは、磁場誘導により動作し、１０センチメートル（３．９インチ）の距離を持つ。しかしながら、電磁及び光学技術に基づく技術を含む、他の適切なインタフェースも使用されてもよい。前者の商業的に利用可能な例は、ブルートゥース、ワイヤレスフィディリティ（ｗｉ−ｆｉ）及びＨＩＰＥＲＬＡＮ技術を含み、後者の例は、赤外線通信協会（ＩｒＤＡ）標準に基づくような赤外線技術を含む。もちろん、他の標準的又は独自仕様のインタフェースは、実施されることができる。
【００２９】
メモリ１０２は、好ましくは、電気的消去可能プログラム可能読取専用メモリ、フラッシュメモリ、バッテリバック（battery-backed）ＣＭＯＳスタティックＲＡＭのような不揮発性可変メモリである。もちろん、ナノチューブメモリ、磁気又は強磁性メモリのような他の技術も実施されることができる。前記メモリは、１つ以上の取り外し可能メモリカード又はスティックのような様々な形を取ることもでき、又はこれは、前記デバイスの永久的又は半永久的部分であってもよい。メモリ１０２は、患者デモグラフィック情報１１８と、患者生理学的情報要素１２０ａ，ｂ，ｃ...ｎと、アクセス情報１２２と、デバイス識別子又はＩＤ番号１２３とを含む情報を記憶する。
【００３０】
図１及び２を参照すると、患者デモグラフィック情報１１８は、前記患者の名前２０２と、識別番号のような患者識別子２０４と、前記患者の誕生日又は年齢２０６と、前記患者の主治医の名前のような医師情報２０８と、前記患者の入院日又は番号のような入院情報２１０とを含む。もちろん、メモリ１０２は、追加の又は異なる患者デモグラフィック情報１１８をも記憶しうる。セキュリティの目的で、患者デモグラフィック情報１１８の一部又は全てをメモリ１０２に記憶することは望ましくないかもしれない。このような場合には、より完全なデモグラフィック情報が、別個のデータベースと接続して患者識別番号２０４を使用することにより取得されることができる。加えて、メモリ１０２に記憶される情報の一部又は全てを暗号化することが望ましいかもしれない。
【００３１】
図１及び３を参照すると、メモリ１０２は、複数の患者生理学的情報要素１０２ａ，ｂ，ｃ...ｎを記憶する。各要素１２０は、生理学的パラメータ識別子３０２と、生理学的パラメータ値３０４と、時間３０６と、オペレータ識別子３０８と、デバイス識別子３１０との１つ以上を含む。要素１２０に含まれる（又は一般にメモリ１０２内のものに対する）様々な情報は、隣接するメモリ位置に記憶される必要はないが、代わりに適切なデータ構造を使用して記憶されてもよい。
【００３２】
パラメータ識別子３０２は、特定の要素１２０の対象であるパラメータを識別する。例パラメータは、体温、脈拍、呼吸速度、血圧、血中酸素飽和度、体重及び骨密度のような生理学的パラメータを含む。他のパラメータは、医師又は看護師により入力された覚書又は診察結果を含みうる。パラメータ値３０４は、特定のパラメータ３０２の値である。パラメータ識別子３０２が、例えば、体温を特定する場合、パラメータ値３０４は、前記患者の体温の値である。時間３０６は、要素１２０に関連付けられた時間及び／又は日付のような時間情報を含む。ユーザ識別子３０８は、特定の要素１２０に関連付けられたヘルスケア提供者を識別する。デバイス識別子３１０は、要素１２０に関連付けられたデバイスを識別する。
【００３３】
図１及び４を参照すると、アクセス情報１２２は、前記デバイスに対するアクセスを制限するために使用され、パスワード４０２と、デバイス１００にアクセスすることを認められた１以上のユーザを識別するユーザ識別子４０４と、デバイス１００にアクセスすることを認められた患者測定デバイス１１２又は携帯型インタフェースデバイス１１４のような１以上のデバイスを識別するデバイス識別子４０６との１つ以上を含みうる。
【００３４】
患者記録デバイス識別子１２３は、患者記録デバイス１００を識別する識別コード又はシリアル番号である。
【００３５】
ここで図１に戻ると、オペレータインタフェース１０６は、好ましくは、ブザー又はビーパーのような可聴出力及び１つ以上の発光ダイオード（ＬＥＤ）、液晶ディスプレイ（ＬＣＤ）又は数字若しくは英数字ディスプレイのような視覚的出力を含む。オペレータインタフェース１０６は、ボタン又はキーのような入力デバイスをも含む。
【００３６】
コンピュータインタフェース１０４は、ローカルエリアネットワーク（ＬＡＮ）又はワイドエリアネットワーク（ＷＡＮ）のような適切な接続上で１以上のコンピューティングデバイスとの接続を提供する。インタフェース１０４は、好ましくは、特定の病院又はヘルスケア施設ネットワークとの適合性で選択される。典型的なインタフェース技術は、イーサネット（登録商標）及びブルートゥース又はｗｉ−ｆｉのような無線技術を含む。もちろん、他の規格又は独自仕様のインタフェースが実施されてもよい。
【００３７】
インタフェース及び制御電子装置１０８は、患者記録デバイス１００の様々な要素間に必要な接続及び制御を提供する。
【００３８】
バッテリのような電源１１１は、デバイス１００に電力を供給する。前記電源は、電力本線（electrical power mains）に接続されることもできる。時計１０９は、現在の時間及び／又は日付のような時間情報を提供する。
【００３９】
図１を参照し続けると、各患者測定デバイス１１２は、生理学的測定デバイス１５０と、オペレータインタフェース１５１と、無線通信インタフェース１５２と、電源１５３と、時計１５４とを含む。更に各ユニット１１２に関連付けられているのは、ソース情報１５５である。
【００４０】
生理学的測定デバイス１１２は、必ずしも特定の患者に関連付けられるわけではなく、好ましくは、連続して複数の患者とともに使用するのに適している。ユニット１１２の仕様及び状況に依存して、特定のユニット１１２は、特定のヘルスケア提供者に関連付けられてもよく、又は一般に、特定のフロア又は特定の機関において働いているヘルスケア提供者に対してアクセス可能であってもよい。
【００４１】
生理学的測定デバイス１５０は、患者の生理学的パラメータを示す出力を提供する。様々な生理学的測定デバイス１５０は、周知であり、体温計、血圧計、心拍モニタ、パルス酸素濃度計、呼吸モニタ、無呼吸モニタ、体重計、及び骨密度モニタ等のようなデバイスを含む。もちろん、上記デバイス１５０は、模範的なだけであり、他の適切なデバイスが既知であり、患者測定デバイス１００と接続して使用されることができる。
【００４２】
好ましくは、生理学的測定デバイス１５０は、連続して複数の患者の各々に対して使用するように構成される。一例として、体温計は、典型的には携帯可能であり、検査されるべき特定の患者の近くに容易に持っていかれる。加えて、体温計は、典型的には、ディスポーザブルスリーブを備えるか、又はそうでなければ病原体の拡散を防ぐために患者間で適切に消毒されることができる。他の例として、体重計はしばしば静止したままであるのに対し、連続した患者が測定のために前記体重計に連れてこられる。一部の生理学的測定デバイス１５０が、デバイス１５０の残りが複数の患者に対して使用されるのに対して、典型的には特定の患者に取り付けられたままであるセンサを含むことができることにも注意すべきである。この場合、前記センサが選択的に取り付け及び取り外しされることを可能にする適切なコネクタを使用することが望ましいかもしれない。
【００４３】
オペレータインタフェース１５０は、好ましくは、ブザー又はビーパーのような可聴出力及び１つ以上の発光ダイオード（ＬＥＤ）、液晶ディスプレイ（ＬＣＤ）又は数字若しくは英数字ディスプレイのような視覚的出力を含む。オペレータインタフェース１５０は、ボタン又はキーのような入力デバイスをも含む。
【００４４】
無線通信インタフェース１５２は、患者記録デバイス１００の無線通信インタフェース１１０との適合性で選択される。上に記載されたように、１つの適切なインタフェースは、ＮＦＣインタフェースである。他の適切な超短距離、極短距離又は短距離通信インタフェースが、上述のように実装されることもできる。
【００４５】
容易に携帯可能な患者測定デバイス１１２の場合、生理学的測定デバイス１５０、オペレータインタフェース１５１及び無線通信インタフェース１５２は、好ましくは、単一のユニットとして又は単一のハウジング内に一緒に取り付けられる。代わりに、無線通信インタフェース１５２は、測定デバイス１５０又はオペレータインタフェース１５１とは別々に取り付けられ、可撓ケーブル又は他の適切な配線を使用してこれらと物理的に結合されてもよい。このような構成は、無線通信インタフェース１５２が比較的便利な場所に配置されることを可能にするので、測定デバイス１１２が静止しているか、そうでなければ携帯性が低い状況において特に有利である。
【００４６】
バッテリのような電源１５３は、患者測定ユニット１１２に電力を供給する。電力は、電力本線に接続された電源により供給されることもできる。時計１５４は、現在の時間及び／又は日付のような時間情報を提供する。
【００４７】
図１及び５を参照すると、ソース情報１５５は、各患者測定デバイス１１２と関連付けられる。前記情報は、測定デバイス１５０により測定されたパラメータを識別する生理学的パラメータ識別子５０２と、特定ユニット測定デバイス１１２と関連付けられたヘルスケア提供者を識別するユーザ識別子５０４と、デバイス１１２を識別する指定子又はシリアル番号のようなデバイス識別子５０６との１つ以上を含む。この情報は、好ましくは適切なメモリに記憶される。
【００４８】
図１を参照し続けると、携帯型インタフェースデバイス１１４ａ，ｂ，ｃ...ｎは、好ましくは、パーソナルデジタルアシスタント（ＰＤＡ）、タブレットコンピュータ、ラップトップ又はノートブックコンピュータ、又は他の適切な携帯型コンピューティングデバイスである。各携帯型インタフェースデバイス１１４は、典型的には、特定のヘルスケア提供者と関連付けられ、前記ユーザと通信するためにディスプレイ、キーボード、オーディオ入出力、及び／又はスタイラスのようなオペレータインタフェース１６０、並びに１以上のコンピュータプログラムを記憶及び実行するメモリ及びプロセッサ１６１を含む。各携帯型インタフェースは、無線通信インタフェース１６２をも含む。更に各デバイス１１４に関連付けられるのは、デバイス情報１６３である。
【００４９】
無線通信インタフェース１６２は、患者記録デバイス１００と関連付けられた無線通信インタフェース１１０との適合性で再び選択される。代わりに、通信インタフェース１６２は、コンピュータインタフェース１０４との適合性で選択されてもよい。
【００５０】
図１及び６を参照すると、デバイス情報１６３は、前記デバイス又はそのユーザを識別するのに役立つ情報を含む。ユーザ識別子６０２は、特定のデバイス１１４と関連付けられたユーザを識別する。指定子又はシリアル番号のようなデバイス識別子６０４は、デバイス１１４を識別する。
【００５１】
メモリ１６１は、前記プロセッサにより実行される場合に、前記ユーザが、無線通信インタフェース１６２により受信された情報を記憶、観察又は他の方法で操作することを可能にする命令を含む。一実施例において、前記ユーザは、所望の患者記録デバイス１００に記憶された情報を受信するのにインタフェースデバイス１１４を使用することができる。関連する患者デモグラフィック情報１１８は、オペレータインタフェース１６０上に表示される。この情報は、前記ユーザが、前記所望の患者に関する情報にアクセスしたことを確認し、基本的なデモグラフィック情報を取得することを可能にする。関連するパラメータ識別子３０２と、パラメータ値３０４と、時間情報３０６と、ユーザ識別子３０８と、デバイス識別子３１０とを含む様々な患者生理学的情報要素１２０も表示されることができる。好ましくは、前記プログラムは、前記ユーザが、例えば時間若しくは日付３０６、パラメータ識別子３０２、又はユーザ識別子３０８等により、要素１２０をフィルタリング又はソートすることを可能にする。同様に、前記ユーザは、パラメータ値３０４が指定された範囲の外である特定のパラメータ識別子３０２を含む情報等のような特定の情報のみを観察することを選択してもよい。後者は、前記ユーザが、通常範囲の外である上昇体温又は血圧のような精査を必要とする情報を容易に見つけることを望む場合に特に有用である。
【００５２】
デバイス１１４は、前記オペレータが、無線通信インタフェース１１０を使用して患者記録デバイス１０２に転送する関連する患者デモグラフィック情報１１８を入力することを可能にすることもできる。これは、デバイス１１０を特定の患者に関連付けるのに特に有用である。
【００５３】
更に、デバイス１１４は、前記ユーザが、オペレータインタフェース１６０を介して覚書、コメント又は他の情報を入力し、患者測定ユニット１１２から患者記録デバイス１００への転送に類似した形で無線通信インタフェース１１０を使用して前記情報を特定の患者記録デバイスに転送することを可能にすることもできる。
【００５４】
動作において、患者記録デバイス１００は、初期化され、特定の患者に関連付けられる。患者デモグラフィック情報１１８は、無線通信インタフェース１１０を介して前記デバイスにより受信され、メモリ１０２に記憶される。代わりに、前記情報は、通信インタフェース１０４を介して受信されてもよく、又はオペレータインタフェース１０６を介して入力されてもよい。アクセス情報１２２及び前記現在の時間情報は、同様に供給され、記憶される。前記ユーザは、患者デモグラフィック情報の一部又は全てをデバイス１００に、例えばステッカーを配置することにより又は前記情報を前記デバイスに書きこむことにより、添付することをも望みうる。
【００５５】
デバイス１１２は、生体構造の一部に取り付けられ、例えば前記患者の腕又は脚にストラップで固定することにより、又はネックレスを使用して前記患者の首の周りに配置することにより取り付けられる。代わりに、前記デバイスは、前記患者のベッドの端部のような前記患者の近くの適切な場所に、前記患者のベッドの上に配置されたスタンド又はテーブルの上に、又はクリップボードにクリップされて配置される。
【００５６】
もちろん、追加の患者記録デバイス１００は、初期化され、他の患者に関連付けられることができる。
【００５７】
診療的設定において、ヘルスケア提供者は、通常、１以上の患者に対する生理学的パラメータ測定値を取得及び記録することを必要とされる。関心のパラメータ又は複数のパラメータに依存して、前記ヘルスケア提供者は、適切な測定デバイス又は複数のデバイス１１２を取得する。既に行われていない場合、前記ヘルスケア提供者は、オペレータインタフェース１５１又は無線通信インタフェース１５２を介して正しいユーザ識別子５０４を入力する。前記ヘルスケア提供者は、この場合、デバイス１１２を所望の患者の近くに持っていく。代わりに、及び携帯性の低いユニット１１２の場合に特に、前記患者がユニット１１２に連れて行かれる。前記ヘルスケア提供者は、この場合、所望の生理学的パラメータの値を取得するために測定デバイス１５０を使用する。デバイス１５０に依存して、オペレータインタフェース１５１は、前記測定が完結していることを示す視覚的、可聴又は他の信号を供給することができ、関連するパラメータ値又は複数の値を表示することもできる。時計１５４からの情報は、前記測定値が取得された時間を確立するのに使用される。前記関連する情報は、無線通信インタフェース１１０にも利用可能にされる。
【００５８】
前記ヘルスケア提供者は、この場合、患者記録デバイス１００及び測定ユニット１１２の通信インタフェース１１０及び１５２を通信範囲内に持っていく。通信インタフェース１５２及び１００がＮＦＣインタフェースである場合、それぞれのインタフェースは、接触又は接触に近い距離から約１０センチメートル（３．９インチ）の最大距離までに配置されなければならない。前記ＮＦＣインタフェースは、好ましくは、いわゆる接触及び確認モード（touch and confirm mode）で動作する。したがって、患者記録デバイス１００のオペレータインタフェース１０６は、通信が、ビープ音又は視覚的インジケータの点滅等により生理学的測定ユニット１１２と確立されていることを示す。前記ヘルスケア提供者は、例えばボタンを押すことにより、オペレータインタフェース１０６を介する患者記録デバイス１００に対する転送を確認する。代わりに、指示及び確認が、生理学的測定ユニット１１２のオペレータインタフェース１５１を介して、又は両方のオペレータインタフェースの組み合わせを介して達成されることができる。更に代わりに、インタフェース１１０及び１５２は、いわゆる接触及び進行モード（touch and go mode）で動作することができ、前記指示又は確認の一方又は両方が必要とされない。患者記録デバイス１００は、また、アクセス情報１２２をソース情報１５５に対して比較する。測定ユニット１１２又はそのユーザが、患者記録デバイス１００にアクセスすることを許可されない場合、情報転送は拒絶され、試行されたアクセスは、メモリ１０２に記憶される。前記アクセス試行は、例えばオペレータインタフェース１０６を介して又はＨＩＳ／ＲＩＳシステム１１６若しくは他のコンピュータを介して、警告の対象でもありうる。
【００５９】
いずれの場合にも、ソース情報１５５、パラメータ値３０４及び時間３０６は、無線通信インタフェース１１２により送信され、患者記録デバイス１００に関連付けられた無線通信インタフェース１１０により受信される。前記情報は、メモリ１０２に記憶される。
【００６０】
状況に依存して、前記ヘルスケア提供者は、シフト若しくは他の期間の間に直ちに、又はそうでなければ必要に応じてのいずれかで、連続した患者に関連する情報を取得するために患者測定デバイス１１２を使用することを決定することができる。いずれの場合にも、前記情報は、取得され、各患者に対する所望の患者記録デバイス１００に転送される。
【００６１】
患者記録デバイス１００が、前記コンピュータインタフェースを介してＨＩＳ／ＲＩＳシステム１１６又は他のコンピュータに接続される場合、メモリ１０２に含まれる情報は、ＨＩＳ／ＲＩＳシステム１１６又は他のコンピュータにも転送される。
【００６２】
往診中の医師又は看護師のようなヘルスケア提供者は、特定の患者記録デバイス１００に含まれる情報を見る又は他の方法で操作するために携帯型インタフェースデバイス１１４を使用することを望むかもしれない。一般に上述されたように、通信は、携帯型インタフェースデバイス１１４と所望の患者記録デバイス１００との間に確立され、前記情報は、それぞれの通信インタフェースを介して転送される。デバイス情報１６３がアクセス情報１２２とマッチしない場合、前記情報転送は拒絶される。
【００６３】
もちろん、様々な代替例も可能である。例えば、メモリ１０２に含まれる情報の一部又は全てが除外されてもよい。同様に、時計１０９、１５４は、患者測定デバイス１１２又は患者記録デバイス１００の一方又は両方から除外されてもよい。時計が患者測定デバイス１１２から除外される場合、メモリ１２０に記憶される時間情報３０６は、好ましくは、特定の情報要素１２０が受信された時間である。更に、前記システムが、単一のパラメータ（又は既知の複数のパラメータ）のみに対する値を供給する同種の測定ユニット１５０のみを含む場合、パラメータ識別子３０２は、除外されてもよい。もちろん、情報の更に他の選択が実施されてもよい。
【００６４】
本発明は、好適な実施例を参照して記載されている。もちろん、修正例及び変更例は、他者が前述の記載を読み、理解すると気が付くだろう。本発明が、添付の請求項又はその同等物の範囲内に入る限り全てのこのような修正例及び変更例を含むと解釈されることが意図される。
【図面の簡単な説明】
【００６５】
【図１】生理学的パラメータ測定及び通信システムを表現する。
【図２】患者記録デバイスに記憶された患者デモグラフィック情報を表現する。
【図３】患者記録デバイスに記憶された患者生理学的情報を表現する。
【図４】患者記録デバイスに記憶されたアクセス情報を表現する。
【図５】患者測定デバイスにより供給されるソース情報を表現する。
【図６】携帯型インタフェースデバイスにより供給されるデバイス情報を表現する。
【図１】
2009504223.tif 000003
【図２】
2009504223.tif 000004
【図３】
2009504223.tif 000005
【図４】
2009504223.tif 000006
【図５】
2009504223.tif 000007
【図６】
2009504223.tif 000008
【国際調査報告】
2009504223.tif 000009
2009504223.tif 000010
2009504223.tif 000011